(57)【特許請求の範囲】
【請求項１】
物体側から像側に向かって順に、開口絞りと、物体側と像側に凸面を向けた正の屈折力を有する第１レンズと、像側に凹面を向けた負の屈折力を有する第２レンズと、像側に凸面を向けたメニスカス形状で正の屈折力を有する第３レンズと、像側に凹面を向けた負の屈折力を有する両面が非球面の第４レンズとから構成され、Ｆ値が２．４よりも小さく、以下の条件式（１）、（２）、（３）、（４’）、（５ｂ）、および（７ｂ）を満足することを特徴とする撮像レンズ。
（１）  ０．８＜ｉｈ／ｆ＜０．９５
（２）  ＴＬＡ／２ｉｈ＜０．９
（３）  −４．０＜ｒ３／ｒ４＜６．０
（４’）  １．３４≦ｆ１／ｆ３＜１．６
（５ｂ）  ２．３１≦ｆ２／ｆ４≦３．２８
（７ｂ）  ３．４７≦ｒ５／ｒ６≦４．１０
ただし、
ｉｈ：最大像高
ｆ：撮像レンズ全系の焦点距離
ＴＬＡ：フィルタ類を取り外した際の最も物体側に位置する光学素子の物体側の面から像面までの光軸上の距離（光学全長）
ｒ３：第２レンズの物体側の面の曲率半径
ｒ４：第２レンズの像側の面の曲率半径
ｆ１：第１レンズの焦点距離
ｆ２：第２レンズの焦点距離
ｆ３：第３レンズの焦点距離
ｆ４：第４レンズの焦点距離
ｒ５：第３レンズの物体側の面の曲率半径
ｒ６：第３レンズの像側の面の曲率半径
【請求項２】
以下の条件式（６）を満足することを特徴とする請求項１に記載の撮像レンズ。
（６）  −４．５＜ｒ３／ｆ＜５．５
ただし、
ｒ３：第２レンズの物体側の面の曲率半径
【請求項３】
以下の条件式（８）を満足することを特徴とする請求項１に記載の撮像レンズ。
（８）  −０．０５＜ｆ１２／ｆ３４＜０．８０
ただし、
ｆ１２：第１レンズと第２レンズの合成焦点距離
ｆ３４：第３レンズと第４レンズの合成焦点距離
【発明の詳細な説明】
【技術分野】
【０００１】
本発明は、小型の撮像装置に使用されるＣＣＤセンサやＣ-ＭＯＳセンサの固体撮像素子上に被写体の像を結像させる撮像レンズに関し、特に、小型化、薄型化が進むスマートフォンや携帯電話機およびＰＤＡ（Ｐｅｒｓｏｎａｌ  Ｄｉｇｉｔａｌ  Ａｓｓｉｓｔａｎｔ）などの携帯端末機器等、ゲーム機やＰＣなどの情報端末機器等、家電製品やウエアラブル機器等に搭載される撮像装置に内蔵する撮像レンズに関するものである。
【背景技術】
【０００２】
近年、小型の撮像装置を取り巻く市場は、スマートフォンを始めとする携帯端末機器や様々な家電製品、近年ではウエアラブルと呼ばれる情報端末機器への搭載など、益々拡大する傾向にある。これら製品に搭載されるカメラの性能は、高画素に対応したものが要求されると同時に、様々な機器の仕様に適用が可能なように、更なる小型化、広画角化や、撮像素子の高画素化に対応した明るいレンズ系であることに加え、高解像であることが望まれている。
【０００３】
このような高性能化の流れに適応する撮像レンズとして、４枚構成の撮像レンズは比較的小型化と高性能化が望め、さらに低コスト化が容易なため、従来から多く提案されている。
【０００４】
例えば、特許文献１には、正の屈折力を有し両面が凸らんだ第１レンズ、負の屈折力を有し被写体側に凸らんだメニスカス形状の第２レンズ、正の屈折力を有し像側に凸らんだメニスカス形状の第３レンズ、および、負の屈折力を有する第４レンズとの構成を採り、全体光学系の光軸方向の寸法、および全体焦点距離に対する第１レンズの焦点距離比を適切な範囲に設定することで、小型化、高性能化を目指した撮像レンズが開示されている。
【０００５】
また、特許文献２には、物体側に凸面を向けた正の屈折力を有する第１レンズと、光量の調節を行う開口絞りと、負の屈折力を有する第２レンズと、物体側に凹面を向けた正の屈折力を有する第３レンズと、負の屈折力を有する第４レンズとを物体側より順に配置し、レンズ全系の焦点距離と第２レンズの焦点距離との比、および第２レンズの焦点距離と第
２レンズの物体側の面の曲率半径との比を適切な範囲に設定することで、小型化、高性能化を目指した撮像レンズが開示されている。
【先行技術文献】
【特許文献】
【０００６】
【特許文献１】特開２００８−０３３３２７号公報
【特許文献２】特開２００９−２６５２４５号公報
【発明の概要】
【発明が解決しようとする課題】
【０００７】
特許文献１に記載の撮像レンズは、上記構成に加え、第２レンズにガラス材料を使用することで小型化と高性能化を実現している。また、光学全長と撮像素子の有効撮像面の対角線の長さとの比（以下、全長対角比という）が１．０前後であり、比較的小型化が実現されている。しかし、Ｆ値は３．０で暗く、高画素化が進む撮像素子に十分対応する明るさを確保しているとは言えない。また、半画角は３１°から３２°であり、近年要求される広画角化への対応は課題がある。
【０００８】
上記特許文献２に記載の撮像レンズも、全長対角比は１．０前後であり、比較的小型化が実現されている。しかし、Ｆ値は２．８であり、高画素化が進む撮像素子に十分対応する明るさを確保しているとは言えない。また、半画角は３１°から３２°であり、近年要求される広画角化への対応は課題がある。
【０００９】
本発明は、上述した課題に鑑みてなされたものであり、その目的は、小型化に対応すると共にＦ値が小さくても諸収差が良好に補正された広画角の撮像レンズを提供することにある。
【００１０】
本発明でいう撮像レンズの小型化とは、撮像素子の有効撮像面の対角線の長さよりも光学全長が短いレベル、すなわち全長対角比が１．０よりも十分小さいレベルを指している。また、Ｆ値が小さいとは、Ｆ２．４以下のレベルを指し、広画角とは全画角で７５°以上の被写体を撮影可能なレベルを指しているが、上述したように、従来の技術においては、これらの要求を同時に満足することは困難であった。
【００１１】
なお、本発明において、レンズの面形状についての凸面、凹面とは近軸（光軸近傍）における形状を指すものとする。また、非球面に形成される変極点とは、接平面が光軸と垂直に交わる非球面上の点を意味するものとする。
【課題を解決するための手段】
【００１２】
本発明の撮像レンズは、物体側から像側に向かって順に、開口絞りと、物体側と像側に凸面を向けた正の屈折力を有する第１レンズと、像側に凹面を向けた負の屈折力を有する第２レンズと、像側に凸面を向けたメニスカス形状で正の屈折力を有する第３レンズと、像側に凹面を向けた負の屈折力を有する両面が非球面の第４レンズとから構成され、Ｆ値が２．４よりも小さく、以下の条件式（１）、（２）、（３）、（４’）、（５ｂ）、および（７ｂ）を満足するよう構成されている。
（１）０．８＜ｉｈ／ｆ＜０．９５
（２）ＴＬＡ／２ｉｈ＜０．９
（３）−４．０＜ｒ３／ｒ４＜６．０
（４’）１．３４≦ｆ１／ｆ３＜１．６
（５ｂ）２．３１≦ｆ２／ｆ４≦３．２８
（７ｂ）３．４７≦ｒ５／ｒ６≦４．１０
ただし、
ｆ：撮像レンズ全系の焦点距離
ｉｈ：最大像高
ＴＬＡ：フィルタ類を取り外した際の最も物体側に位置する光学素子の物体側の面から像面までの光軸上の距離（光学全長）
ｒ３：第２レンズの物体側の面の曲率半径
ｒ４：第２レンズの像側の面の曲率半径
ｆ１：第１レンズの焦点距離
ｆ３：第３レンズの焦点距離
ｆ２：第２レンズの焦点距離
ｆ４：第４レンズの焦点距離
ｒ５：第３レンズの物体側の面の曲率半径
ｒ６：第３レンズの像側の面の曲率半径
【００１３】
上記構成の撮像レンズは、物体側から順に、正、負、正、負の屈折力で配置されたテレフォトタイプであり、各レンズの屈折力を適切に配分し、全系の焦点距離を短くすることで広い画角が得られる構成になっている。また、各レンズ面を適切な形状に形成することで、テレフォト性を高めて小型化を図り、低Ｆ値でありながらも諸収差の補正が良好に行える構成になっている。
【００１４】
第1レンズは両凸形状に形成されており、正の屈折力を両側の凸面に適切に配分することで、レンズ面の曲率を小さくし、製造誤差感度の上昇を抑え、且つ光学全長の短縮化を図っている。また、第１レンズは両面に非球面を形成しても良く、その場合第１レンズで発生する球面収差の補正が可能となる。
【００１５】
第２レンズは、第１レンズで発生する色収差を補正すると共に、軸上付近で発生する球面収差および軸外の非点収差、コマ収差の発生を効果的に抑制する。また、第２レンズは両面に非球面を形成しても良く、その場合非球面形状によって、軸外におけるこれらの収差を補正、抑制する効果が高められる。
【００１６】
第３レンズおよび第４レンズは、軸外の非点収差の補正および非点隔差の縮小と歪曲収差等の補正を担っている。また、第４レンズの両面に形成した非球面形状によって撮像素子への主光線入射角度（以下、ＣＲＡ：Ｃｈｉｅｆ  Ｒａｙ  Ａｎｇｌｅという）の制御を容易にしている。また、第３レンズに非球面を形成しても良く、その場合、諸収差を補正する効果が高められる。
【００１７】
開口絞りは、第１レンズの物体側の面と光軸との交点位置と第１レンズの物体側の面の周縁部との間に配置している。開口絞りの位置をレンズ系の最も物体側に配置し、射出瞳位置を像面から遠ざけることでＣＲＡを小さく抑制する。第４レンズに形成された非球面形状はＣＲＡ制御を担うが、開口絞りが光学系の最も物体側を配置されていることで、急激な形状変化を伴う非球面形状になることを防止する。その結果、第４レンズの内面反射が抑えられゴースト現象の抑制が容易になる。なお、開口絞りの位置は、第１レンズと空気間隔を設けてさらに物体側に配置すれば、ＣＲＡは小さく抑制されるが、その分光学全長が長くなるため、小型化を目指す観点からは好ましくない。
【００１８】
条件式（１）は撮像レンズの画角を規定するものである。周知のように光学系の半画角ωは、諸収差の影響を無視した場合、最大像高をｉｈ、全系の焦点距離をｆとしたときに、ω＝ｔａｎ−１（ｉｈ／ｆ）で表わされる。条件式（１）の範囲は全画角で７７°から８７°の広い範囲の撮影に対応するものである。条件式（１）の上限値を上回る場合は、画角が広くなりすぎるため周辺部における収差補正が困難になる。一方、条件式（１）の下限値を下回る場合は、収差補正に有利になり、光学性能の向上が望めるが、近年要求される広い画角への対応ができない。
【００１９】
条件式（２）は、撮像素子のサイズに対する撮像レンズの光学全長の最大値を規定することで小型化を維持するための条件である。条件式（２）の上限値を下回ることで、全長対角比が小さく抑えられ、薄型の機器への適用が可能になる。なお、条件式（２）の最大像高ｉｈは、撮像素子の有効撮像面の対角線の長さの半値と同じ距離として扱っている。
【００２０】
条件式（３）は第２レンズの形状を規定するものであり、第２レンズの製造誤差感度を抑え良好な収差補正を行うための条件である。条件式（３）の下限値を下回る両凹形状になると、第２レンズの屈折力が強くなり過ぎ、製造誤差感度が上昇する。一方、条件式（３）の上限値を上回るメニスカス形状になると、第２レンズの屈折力が弱くなり過ぎ、球面収差、および色収差の補正が困難になる。
【００２１】
上記構成の撮像レンズによれば、小型化を維持しながら、低Ｆ値および広画角化に伴って増大する周辺部の収差を抑制することが出来る。
【００２３】
条件式（４）は第３レンズの屈折力と第１レンズの屈折力との関係を規定するものであり、第１レンズの製造誤差感度の上昇を抑制し、かつ光学全長を短く抑制するためのものである。条件式（４）の上限値を上回る場合、第１レンズの正の屈折力が相対的に弱くなり過ぎ、光学全長の短縮化に不利になる。一方、条件式（４）の下限値を下回る場合、第１レンズの正の屈折力が相対的に強くなり過ぎ、製造誤差感度が上昇するため好ましくない。
【００２５】
条件式（５）は、第２レンズの屈折力と第４レンズの屈折力との関係を規定するものであり、第２レンズの製造誤差感度の上昇を抑制するための条件である。条件式（５）の上限値を上回ると、第２レンズの負の屈折力が相対的に弱まるため、第２レンズによる色収差補正が困難になる。一方、条件式（５）の下限値を下回ると、第２レンズの負の屈折力が相対的に強まるため、製造誤差感度が上昇する。
【００２６】
また、上記構成の撮像レンズは、以下の条件式（６）を満足することが望ましい。
（６）  −４．５＜ｒ３／ｆ＜５．５
ただし、
ｒ３：第２レンズの物体側の面の曲率半径
【００２７】
条件式（６）は第２レンズの物体側の面の曲率半径と全系の焦点距離との比を適切な範囲に規定するものであり、球面収差の抑制と第２レンズの製造誤差感度の上昇を抑制するためのものである。条件式（６）の上限値を上回る凸面になる場合、および条件式（６）の下限値を下回る凹面になる場合、第２レンズの物体側の面の屈折力が弱くなるため、第２レンズの負の屈折力は、像側の面で賄うことになるが、その場合、製造誤差感度が高いレンズになりやすい。条件式（６）の範囲内に規定することで、良好な球面収差の補正と製造誤差感度の抑制が図られる。
【００２９】
条件式（７）は第３レンズの形状を規定するものであり、小型化とバックフォーカスを確保するための条件である。条件式（７）の上限値を上回ると、第３レンズの屈折力が強くなり過ぎ、バックフォーカスの確保が困難になる。一方、条件式（７）の下限値を下回ると第３レンズの屈折力が弱くなり過ぎ、光学全長を短く抑えることが困難になる。
【００３０】
また、上記構成の撮像レンズは、以下の条件式（８）を満足することが望ましい。
（８）  −０．０５＜ｆ１２／ｆ３４＜０．８０
ただし、
ｆ１２：第１レンズと第２レンズの合成焦点距離
ｆ３４：第３レンズと第４レンズの合成焦点距離
【００３１】
条件式（８）は、第１レンズと第２レンズの合成焦点距離と第３レンズと第４レンズの合成焦点距離との比を適切な範囲に規定するものであり、色収差をはじめとする収差を良好な範囲内に抑制するためのものである。条件式（８）の上限値を上回る場合、第３レンズおよび第４レンズの合成焦点距離に対して第１レンズおよび第２レンズの合成焦点距離が相対的に長くなり、色収差等の補正が困難となり、良好な結像性能を得ることが困難となる。一方、条件式（８）の下限値を下回る場合、第３レンズおよび第４レンズの合成焦点距離に対して第１レンズおよび第２レンズの合成焦点距離が相対的に短くなり、第１レンズおよび第２レンズにレンズ系の屈折力が集中するため、製造誤差感度が高くなり好ましくない。
【発明の効果】
【００３２】
本発明により、小型化に対応すると共にＦ値が小さくても諸収差が良好に補正され、広画角の撮像レンズを得ることができる。
【図面の簡単な説明】
【００３３】
【図１】実施例１に係る撮像レンズの概略構成を示す図である。
【図２】実施例１に係る撮像レンズの球面収差、非点収差、歪曲収差を示す図である。
【図３】実施例２に係る撮像レンズの概略構成を示す図である。
【図４】実施例２に係る撮像レンズの球面収差、非点収差、歪曲収差を示す図である。
【図５】実施例３に係る撮像レンズの概略構成を示す図である。
【図６】実施例３に係る撮像レンズの球面収差、非点収差、歪曲収差を示す図である。
【図７】実施例４に係る撮像レンズの概略構成を示す図である。
【図８】実施例４に係る撮像レンズの球面収差、非点収差、歪曲収差を示す図である。
【図９】実施例５に係る撮像レンズの概略構成を示す図である。
【図１０】実施例５に係る撮像レンズの球面収差、非点収差、歪曲収差を示す図である。
【図１１】実施例６に係る撮像レンズの概略構成を示す図である。
【図１２】実施例６に係る撮像レンズの球面収差、非点収差、歪曲収差を示す図である。
【発明を実施するための形態】
【００３４】
以下、本発明に係る実施形態について図面を参照しながら詳細に説明する。
【００３５】
図１、図３、図５、図７、図９、図１１はそれぞれ、本実施形態の実施例１から６に係る撮像レンズの概略構成図を示している。いずれも基本的なレンズ構成は同様であるため、ここでは主に実施例１の概略構成図を参照しながら、本実施形態の撮像レンズ構成について説明する。
【００３６】
図１に示すように、本実施形態の撮像レンズは、物体側から像側に向かって順に、開口絞りＳＴと、物体側と像側に凸面を向けた正の屈折力を有する第１レンズＬ１と、像側に凹面を向けた負の屈折力を有する第２レンズＬ２と、像側に凸面を向けたメニスカス形状で正の屈折力を有する第３レンズＬ３と、像側に凹面を向けた負の屈折力を有する両面が非球面の第４レンズＬ４とから構成されている。このような屈折力の配列はいわゆるテレフォトタイプに近いものであり、光学全長を短縮しやすい構成である。なお、開口絞りＳＴの位置は第１レンズＬ１の物体側に配置されている。
【００３７】
また、第４レンズＬ４と像面ＩＭとの間にはフィルタＩＲが配置されている。なお、このフィルタＩＲは省略することが可能である。本実施形態における光学全長やバックフォーカスはフィルタＩＲを空気換算した値としている。
【００３８】
上記４枚構成の撮像レンズにおいて、第１レンズＬ１は両凸形状に形成されており、正の屈折力を両側の凸面に適切に配分することで、レンズ面の曲率を小さくして製造誤差感度の上昇を抑えながら光学全長の短縮化を図っている。また、第１レンズＬ１は両面に適切な非球面形状が形成されており、第１レンズＬ１で発生する球面収差の補正が可能となっている。
【００３９】
第２レンズＬ２は、両凹形状に形成されており、第１レンズＬ１で発生した色収差を効果的に補正すると共に、軸上付近の球面収差および軸外の非点収差、コマ収差の発生を効果的に抑制している。また、第２レンズＬ２の両面には非球面が形成されており、軸外の諸収差をより良好に補正している。なお、第２レンズＬ２の形状は両凹形状に限定されるものではない。例えば、図７、図９、図１１に示す実施例４、実施例５、実施例６は物体側の面が凸面で像側の面が凹面のメニスカス形状になる例である。
【００４０】
第３レンズＬ３は、像側に凸面を向けたメニスカス形状に形成されており、第４レンズＬ４は、像側に凹面を向けたメニスカス形状に形成されている。それぞれのレンズは、両面に適切な非球面形状が形成されており、軸外の非点収差の補正および非点隔差の縮小と歪曲収差等の補正をしている。また、第４レンズＬ４の像側の面は光軸Ｘ上以外の位置に変極点を有する非球面形状となっており、ＣＲＡの制御と像面湾曲を補正する機能を有している。第４レンズＬ４は上述した形状に限定されるものではなく、例えば図５に示す実施例３のように両凹形状であっても良い。
【００４１】
開口絞りＳＴは、第１レンズＬ１の物体側の面と光軸Ｘとの交点位置から第１レンズＬ１の物体側の面の周縁部との間に配置されている。開口絞りＳＴを光学系の最も物体側に配置し、射出瞳位置を像面ＩＭから遠ざけることでＣＲＡを小さく抑えている。
【００４２】
本実施の形態に係る撮像レンズは、全てのレンズにプラスチック材料を採用しているため、製造が容易であり、低コストでの大量生産が可能である。また、全てのレンズ面は、非球面で形成しているため、より好適な収差補正を可能にしている。
【００４３】
本実施形態に係る撮像レンズは、以下の条件式（１）から（８）を満足することで好ましい効果を奏するものである。
（１）  ０．８＜ｉｈ／ｆ＜０．９５
（２）  ＴＬＡ／２ｉｈ＜０．９
（３）  −４．０＜ｒ３／ｒ４＜６．０
（４）  １．１＜ｆ１／ｆ３＜１．６
（５）  ２．０＜ｆ２／ｆ４＜４．０
（６）  −４．５＜ｒ３／ｆ＜５．５
（７）  ２．８＜ｒ５／ｒ６＜５．０
（８）−０．０５＜ｆ１２／ｆ３４＜０．８０
ただし、
ｆ：撮像レンズ全系の焦点距離
ｉｈ：最大像高
ＴＬＡ：フィルタＩＲを取り外した際の最も物体側に位置する光学素子の物体側の面から像面ＩＭまでの光軸上の距離（光学全長）
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｒ３：第２レンズＬ２の物体側の面の曲率半径
ｒ４：第２レンズＬ２の像側の面の曲率半径
ｒ５：第３レンズＬ３の物体側の面の曲率半径
ｒ６：第３レンズＬ３の像側の面の曲率半径
ｆ１２：第１レンズＬ１と第２レンズＬ２の合成焦点距離
ｆ３４：第３レンズＬ３と第４レンズＬ４の合成焦点距離
【００４４】
また、本実施形態に係る撮像レンズは、以下の条件式（１ａ）から（８ａ）を満足することでより好ましい効果を奏するものである。
（１ａ）  ０．８＜ｉｈ／ｆ＜０．９０
（２ａ）  ＴＬＡ／２ｉｈ＜０．８
（３ａ）  −３．７＜ｒ３／ｒ４＜５．５
（４ａ）  １．２＜ｆ１／ｆ３＜１．６
（５ａ）  ２．１＜ｆ２／ｆ４＜３．６
（６ａ）  −３．９＜ｒ３／ｆ＜４．９
（７ａ）  ３．１＜ｒ５／ｒ６＜４．５
（８ａ）−０．０３＜ｆ１２／ｆ３４＜０．７０
ただし、各条件式の符号は前の段落での説明と同様である。
【００４５】
また、本実施形態に係る撮像レンズは、以下の条件式（１ｂ）から（８ｂ）を満足することで特に好ましい効果を奏するものである。
（１ｂ）  ０．８１≦ｉｈ／ｆ≦０．８６
（２ｂ）  ＴＬＡ／２ｉｈ≦０．７８
（３ｂ）  −３．３７≦ｒ３／ｒ４≦５．０４
（４ｂ）  １．３４≦ｆ１／ｆ３≦１．５２
（５ｂ）  ２．３１≦ｆ２／ｆ４≦３．２８
（６ｂ）  −３．５７≦ｒ３／ｆ≦４．４７
（７ｂ）  ３．４７≦ｒ５／ｒ６≦４．１０
（８ｂ）−０．０１≦ｆ１２／ｆ３４≦０．６０
ただし、各条件式の符号は前の段落での説明と同様である。
【００４６】
本実施形態では、すべてのレンズ面を非球面で形成している。これらのレンズ面に採用する非球面形状は光軸方向の軸をＺ、光軸に直交する方向の高さをＨ、円錐係数をｋ、非球面係数をＡ４、Ａ６、Ａ８、Ａ１０、Ａ１２、Ａ１４、Ａ１６としたとき次式により表わされる。
【００４７】
【数１】
0006324824.tif 000002
【００４８】
次に本実施形態に係る撮像レンズの実施例を示す。各実施例において、ｆは撮像レンズ全系の焦点距離を、ＦｎｏはＦナンバーを、ωは半画角を、ｉｈは最大像高を、ＴＬＡはフィルタＩＲを取り外した際の光学全長をそれぞれ示す。また、ｉは物体側から数えた面番号、ｒは曲率半径、ｄは光軸上のレンズ面間の距離(面間隔)、Ｎｄはｄ線（基準波長）の屈折率、νｄはｄ線に対するアッベ数をそれぞれ示す。なお、非球面に関しては、面番号ｉの後に＊（アスタリスク）の符号を付加して示す。
【実施例１】
【００４９】
基本的なレンズデータを以下の表１に示す。
【表１】
0006324824.tif 000003
【００５０】
実施例１の撮像レンズは、表７に示すように条件式（１）から（８）の全てを満たしている。
【００５１】
図２は実施例１の撮像レンズについて、球面収差（ｍｍ）、非点収差（ｍｍ）、歪曲収差（％）を示したものである。球面収差図には、Ｆ線（４８６ｎｍ）、ｄ線（５８８ｎｍ）、Ｃ線（６５６ｎｍ）の各波長に対する収差量を示している。また、非点収差図にはサジタル像面Ｓ、タンジェンシャル像面Ｔにおけるｄ線の収差量をそれぞれ示している（図４、図６、図８、図１０、図１２においても同じ）。図２に示すように、各収差は良好に補正されていることが分かる。
【００５２】
また、光学全長ＴＬＡは３．４０ｍｍで、小型化が実現されている。さらに、全画角で約７８°の広い画角を達成し、Ｆ値が２．３の明るい撮像レンズ系が実現されている。
【実施例２】
【００５３】
基本的なレンズデータを以下の表２に示す。
【表２】
0006324824.tif 000004
【００５４】
実施例２の撮像レンズは、表７に示すように条件式（１）から（８）の全てを満たしている。
【００５５】
図４は実施例２の撮像レンズについて、球面収差（ｍｍ）、非点収差（ｍｍ）、歪曲収差（％）を示したものである。図４に示すように、各収差は良好に補正されていることが分かる。
【００５６】
また、光学全長ＴＬＡは３．３０ｍｍであり、小型化が実現されている。さらに、全画角で約８１°の広い画角を達成し、Ｆ値が２．３の明るい撮像レンズ系が実現されている。
【実施例３】
【００５７】
基本的なレンズデータを以下の表３に示す。
【表３】
0006324824.tif 000005
【００５８】
実施例３の撮像レンズは、表７に示すように条件式（１）から（８）の全てを満たしている。
【００５９】
図６は実施例３の撮像レンズについて、球面収差（ｍｍ）、非点収差（ｍｍ）、歪曲収差（％）を示したものである。図６に示すように、各収差は良好に補正されていることが分かる。
【００６０】
また、光学全長ＴＬＡは３．４０ｍｍで、小型化が実現されている。さらに、全画角で約７７°の広い画角を達成し、Ｆ値が２．３の明るい撮像レンズ系が実現されている。
【実施例４】
【００６１】
基本的なレンズデータを以下の表４に示す。
【表４】
0006324824.tif 000006
【００６２】
実施例４の撮像レンズは、表７に示すように条件式（１）から（８）の全てを満たしている。
【００６３】
図８は実施例４の撮像レンズについて、球面収差（ｍｍ）、非点収差（ｍｍ）、歪曲収差（％）を示したものである。図８に示すように、各収差は良好に補正されていることが分かる。
【００６４】
また、光学全長ＴＬＡは３．５８ｍｍで、小型化が実現されている。さらに、全画角で約８０°の広い画角を達成し、Ｆ値が２．３の明るい撮像レンズ系が実現されている。
【実施例５】
【００６５】
基本的なレンズデータを以下の表５に示す。
【表５】
0006324824.tif 000007
【００６６】
実施例５の撮像レンズは、表７に示すように条件式（１）から（８）の全てを満たしている。
【００６７】
図１０は実施例５の撮像レンズについて、球面収差（ｍｍ）、非点収差（ｍｍ）、歪曲収差（％）を示したものである。図１０に示すように、各収差は良好に補正されていることが分かる。
【００６８】
また、光学全長ＴＬＡは３．４１ｍｍで、小型化が実現されている。さらに、全画角で約８０°の広い画角を達成し、Ｆ値が２．３の明るい撮像レンズ系が実現されている。
【実施例６】
【００６９】
基本的なレンズデータを以下の表６に示す。
【表６】
0006324824.tif 000008
【００７０】
実施例６の撮像レンズは、表７に示すように条件式（１）から（８）の全てを満たしている。
【００７１】
図１２は実施例６の撮像レンズについて、球面収差（ｍｍ）、非点収差（ｍｍ）、歪曲収差（％）を示したものである。図１２に示すように、各収差は良好に補正されていることが分かる。
【００７２】
また、光学全長ＴＬＡは３．５８ｍｍで、小型化が実現されている。さらに、全画角で約８０°の広い画角を達成し、Ｆ値が２．３の明るい撮像レンズ系が実現されている。
【００７３】
表７に実施例１から６に係る条件式（１）から（８）の値を示す。
【表７】
0006324824.tif 000009
【００７４】
以上、説明したように、本発明の実施形態に係る撮像レンズは、光学全長ＴＬＡが３．５ｍｍ前後と小型で、７７°以上の広い画角と、Ｆ値２．４以下の明るさに対応しながら、諸収差が良好に補正された光学系の実現を可能にする。
【産業上の利用可能性】
【００７５】
上述したように、各実施の形態に係る撮像レンズを、小型化、薄型化が進むスマートフォンや携帯電話機およびＰＤＡ（Ｐｅｒｓｏｎａｌ  Ｄｉｇｉｔａｌ  Ａｓｓｉｓｔａｎｔ）などの携帯端末機器等、さらには、ゲーム機やＰＣなどの情報端末機器等、家電製品やウエアラブル機器等に搭載される撮像装置に内蔵する光学系に適用した場合、当該カメラの小型化と高性能化を図ることができる。
【符号の説明】
【００７６】
ＳＴ  開口絞り
Ｌ１  第１レンズ
Ｌ２  第２レンズ
Ｌ３  第３レンズ
Ｌ４  第４レンズ
ＩＲ  フィルタ
ＩＭ  像面
ｉｈ  最大像高
【図１】
0006324824.tif 000010
【図２】
0006324824.tif 000011
【図３】
0006324824.tif 000012
【図４】
0006324824.tif 000013
【図５】
0006324824.tif 000014
【図６】
0006324824.tif 000015
【図７】
0006324824.tif 000016
【図８】
0006324824.tif 000017
【図９】
0006324824.tif 000018
【図１０】
0006324824.tif 000019
【図１１】
0006324824.tif 000020
【図１２】
0006324824.tif 000021